(57)【要約】【課題】  取り付け位置を容易に調整することが可能であり、変形を防止することが可能であるスライド錠におけるスライド部材の係合具を提供する。【解決手段】  スライド錠１０のスライド体２２の先端と係合する係合具３０において、係合具３０は、取付体３１と、別体に形成されている係合体３５と、係合体３５と左パネルＬとの間に介装される弾性体３９とを備え、係合体３５には、中心から偏心した位置に偏心円孔３５ｄが形成され、取付体３１は偏心円孔３５ｄに挿設されており、係合体３５は取付体３１に対する装着位置を変更可能となるように構成されている構造とした。【選択図】  図４
2019002255.tif 000002
【特許請求の範囲】
【請求項１】
扉に取り付けられる案内具と、
前記案内具に案内されて前記扉の縁から出没するスライド部材と、を有するスライド錠に用いられ、
前記扉と隣接する支持体に取り付けられ、前記スライド部材の先端と係合する係合具において、
前記係合具は、
取付部と、前記取付部と別体で形成されている係合体と、
前記係合体と前記支持体との間に介装される弾性体とを備え、
前記係合体には、中心から偏心した位置に偏心孔が形成され、
前記取付部は前記偏心孔に挿設されており、
前記係合体は、前記取付部に対する装着位置を変更可能となるように構成されていることを特徴とする、スライド錠におけるスライド部材の係合具。
【発明の詳細な説明】
【技術分野】
【０００１】
本発明は、スライド錠を構成するスライド部材を係合するための係合具に関する。
【背景技術】
【０００２】
病院、学校、駅等の各種公共施設において、開き扉が使用されている。この開き扉は、立設する支持体に側面部が枢設され、出入口である開口部を開閉可能となっており、施錠装置にはスライド錠が使用されることが一般的である。
【０００３】
図９に示すように、従来のスライド錠１０’は、案内具２１’に案内されて開き扉Ｄ’の縁から出没するスライドバー２２’（スライド部材）と、当該スライドバー２２’の溝の先部と係合する係合具３０’（ストライクと称される場合もある）とを備え、当該係合具３０’における、係合体３１’と軸部３５’は別体になっている。そして、軸部３５’は、ネジによりパネル材Ｌ’に取り付けられるとともに、係合体３１’は、軸部３５’の側面に形成された雄ねじ部３５ａ’と螺合するように形成されている（特許文献１参照）。
【先行技術文献】
【特許文献】
【０００４】
【特許文献１】特開平１１−３２４４５５号公報
【発明の概要】
【発明が解決しようとする課題】
【０００５】
ところで、開き扉は、取り付けから一定期間が経過すると、戸先側が自重により下方に移動してしまうことがある。この場合には、スライド錠を構成するスライド部材の位置も下方に移動してしまい、係合具と当接して施錠操作を阻害することや、不快かつ故障の不安を惹起させる異音の発生が生じてしまうことになっていた。しかし、このような場合には、従来のスライド錠では、開き扉の取り付け位置を調整することや、スライド部材の取り付け位置を調整するなどしなければならず、その調整が非常に煩雑であるという問題点を有していた。また、施錠時に、開き扉に外側から衝撃力が作用し、スライド錠が変形してしまうなどの問題点を有していた。
【０００６】
本発明は、上記問題点を解決するためになされたものであり、取り付け位置を容易に調整することが可能であり、変形を防止することが可能であるスライド錠におけるスライド部材の係合具を提供することを目的としている。
【課題を解決するための手段】
【０００７】
上記目的を達成するために、本発明のスライド錠におけるスライド部材の係合具（以下、「本係合具」という場合がある。）は、扉に取り付けられる案内具と、上記案内具に案内されて上記扉の縁から出没するスライド部材と、を有するスライド錠に用いられ、上記扉と隣接する支持体に取り付けられ、上記スライド部材の先端と係合する係合具において、上記係合具は、取付部と、上記取付部と別体に形成されている係合体と、上記係合体と上記支持体との間に介装される弾性体とを備え、上記係合体には、中心から偏心した位置に偏心孔が形成され、上記取付部は上記偏心孔に挿設されており、上記係合体は、上記取付部に対する装着位置を変更可能となるように構成されていることを特徴としている。
【０００８】
ここで、扉は、上記のとおり、開閉することにより入口部を構成する部材であり、開き扉に適用することが好適であるが、スライド錠を設置することができる扉であれば、その種類を問うものではない。
【０００９】
本係合具は、取付部において、扉と隣接する部材に取り付けられることになり、当該取付部は、ネジ（一体、別体を問わない）、埋設部位を設けること、又は、その他の取付手段で取り付けられるものである。
【００１０】
また、偏心孔は、取付部を挿設するために設けられるものであり、略円孔であることが好ましい。また、その大きさは、係合具の形態に応じて異なるものであり、その作用を奏するものであれば制限はないが、装着位置を変更するために設ける目的からすれば、大径であることが好ましい。
【００１１】
さらに、弾性体は、圧縮させた状態で係合体と支持体の間に介装され、本係合具を支持体に密着させるために設けられる部材であり、弾性性能に優れたウレタン等や、摩擦性能に優れた各種ゴムを材料とした高摩擦材（双方の性質を併有することが好適である）を用いることができる。
【００１２】
本発明によれば、取付部と別体で形成されている、偏心孔を有する係合体を備えており、取付部は偏心孔に挿設されており、係合体は、取付部に対する装着位置を変更可能となるように構成されている。そのため、種々の原因で扉が下方に移動し、スライド錠のスライド部材の位置が移動することにより係合具と当接した場合であっても、係合具の係合体を偏心孔に沿って回転させて、取り付け位置を変更することにより、当該係合体の中心から上縁までの距離を変化させ、その位置を修正することができる。
【００１３】
また、本発明によれば、係合体と支持体との間に介装される弾性体を備えており、常時、本係合具を支持体に圧接させることができる。また、扉に外力が作用した場合であっても、本係合具が支持体に圧接しているため、ガタツキを防止し、騒音の発生を抑制させることや、スライド錠の損傷を防止することができる。
【発明の効果】
【００１４】
本発明によれば、取り付け位置を容易に調整することが可能であり、変形を防止することが可能であるスライド錠におけるスライド部材の係合具を提供することができる。
【図面の簡単な説明】
【００１５】
【図１】本発明の係合具を適用した開き扉（取り付け直後の解錠時）を示す斜視図である。
【図２】本発明の係合具を適用した開き扉（取り付け直後の施錠時）を示す斜視図である。
【図３】本発明の係合具を示す斜視図である。
【図４】本発明の係合具を示す分解斜視図である。
【図５】（ａ）は、本発明の係合具を適用した開き扉（取り付け直後の施錠時）を示す側面図であり、（ｂ）は、係合体のみを示す底面図である。
【図６】本発明の本発明の係合具を適用した開き扉（調整が必要な場合における施錠時）を示す斜視図である。
【図７】（ａ）は、本発明の係合具を適用した開き扉（調整前の施錠時）を示す側面図であり、（ｂ）は、係合体のみを示す底面図である。
【図８】（ａ）は、本発明の係合具を適用した開き扉（調整後の施錠時）を示す側面図であり、（ｂ）は、係合体のみを示す底面図である。
【図９】従来の開き扉を示す斜視図である。
【発明を実施するための形態】
【００１６】
以下、図面を参照しつつ、本係合具３０の実施形態の一例について詳細に説明する。なお、図面に基づく説明においては、同一要素には同一符号を付し、重複する説明を省略する。
【００１７】
図１及び図２に示すように、本実施形態では、本係合具３０を備えるスライド錠１０（以下、「本スライド錠」という場合がある。）は、トイレブースに設けられることを想定している。このトイレブースは、壁から垂直方向に設置されている２枚の横仕切りパネル（図示せず）と、入口部を形成するために所定の開口を設けた状態で、当該横仕切りパネルと直交する向きに設置されている左右のパネルＬ（右パネルは図示せず）（支持体）により、平面視で長方形形状の一区画のスペースに区切られている。そして、入口部には、開き扉であるドアパネルＤが、戸尻側の端部において軸釣装置等を用いて支持されることにより、回動自在に取り付けられている。
【００１８】
［スライド錠］
本スライド錠１０は、案内凸部２１（案内具）が設けられている錠本体２０と、スライド体２２（スライド部材）と、本係合具３０とを主要部としている。錠本体２０、案内凸部２１及びスライド体２２は、ドアパネルＤの室内側の面に設けられている。また、本係合具３０は、ドアパネルＤに隣接して設置されている左パネルＬの室内側の面に取り付けられている。
【００１９】
上記案内凸部２１及び上記スライド体２２は、公知の技術を用いることができる。スライド体２２は、案内凸部２１に対してスライド自在となるように嵌合するとともに、その先端部が、ドアパネルＤの戸先側の端部から出没自在となるように構成されている。
【００２０】
［本係合具］
図３及び図４に示すように、本係合具３０は、取付体３１（取付部）と係合体３５と弾性体３９とを主要部としており、当該取付体３１と係合体３５とは別体で形成されている。
【００２１】
取付体３１は、段付きネジに支圧円柱部３１ｂが設けられている構造となっている。すなわち、先端のネジ部３１ａ、支圧円柱部３１ｂ、段部３１ｃ及び頭部３１ｄから構成されている。支圧円柱部３１ｂは、ネジ部３１ａの基端部と段部３１ｃとの間に設けられており、円柱形状である頭部３１ｄと同一径に形成されている。また、頭部３１ｄの上面には、ドライバー溝３１ｅが形成されている。
【００２２】
係合体３５は、中央部に円周溝３５ｂが形成されているボビンに類似した形状の金属製部材である。上記係合体３５の取付部側の円柱部（以下、「取付部側円柱部３５ａ」という。）の端面には、取付部側円柱部３５ａの中心（以下、「円柱中心Ｔ」という。）から偏心した位置に、頭部３１ｄを挿設するための偏心円孔３５ｄが形成されている。この偏心円孔３５ｄは、取付体３１の頭部３１ｄの径より、やや大径となるように形成されている。そして、係合体３５は、取付体３１の頭部３１ｄを中心として、その周囲に回動できるようになっている。なお、符号３５ｃは、係合体３５の頭部である。
【００２３】
また、取付部側円柱部３５ａの側壁における所定位置には、偏心円孔３５ｄに至る挿通孔３５ｅが形成されており、当該挿通孔３５ｅには六角穴付ボルト３６が挿設されている。この六角穴付ボルト３６を締めることにより、取付体３１と係合体３５を接合し、この六角穴付ボルト３６を緩めることにより、接合を解除できるようになっており、係合体３５は、取付体３１に対する装着位置を変更できるように構成されている。
【００２４】
上記取付体３１のネジ部３１ａは、左パネルＬにネジ止めされている。そして、取付体３１の頭部３１ｄが係合体３５の偏心円孔３５ｄに挿通され、六角穴付ボルト３６により緊締されて一体となっている。さらに、係合体３５と左パネルＬの間には、例えばウレタン素材であるリング形状の弾性体３９が介設されている。
【００２５】
この状態において、ドアパネルＤから突出したスライド体２２の端部のフランジ部２２ａと、係合体３５の円周溝３５ｂが係合自在となり、開施錠が可能となっている（図５（ａ））。
【００２６】
なお、図５（ａ），（ｂ）に示すように、ドアパネルＤの取付時においては、スライド体２２と係合体３５との間には、適切な間隙が確保されている必要がある。このとき、係合体３５における偏心円孔３５ｄが、円柱中心Ｔに対して、下側に位置するように調節して取付けられている。
【００２７】
［本係合具の使用方法］
続いて、本係合具３０の使用方法について説明する。
図６に示すように、取り付けから一定時間が経過した場合には、自重によりドアパネルＤの戸先側の端部が下方に移動してしまう。そのため、スライド錠１０を施錠した場合において、スライド体２２も下方に移動し、係合具３０の係合体３５の上面とスライド体２２が当接してしまう（図７）。
【００２８】
この場合には、六角レンチ等を使用し、本係合具３０の六角穴付ボルト３６を緩め、係合体３５を回動可能な状態とする。そして、係合体３５における偏心円孔３５ｄが、円柱中心Ｔに対して、上側に位置するように回転させ、六角穴付ボルト３６を締め、取付体３０と係合体３５とを一体として固定する（図８）。
【００２９】
上記操作により、係合体３５の偏心円孔３５ｄが円柱中心Ｔから偏心しているため、係合体３５を回転して所定位置に移動させることで、当該係合体３５の円柱中心Ｔから上縁までの距離を変化させ（この場合は、短くさせている）、取付体３１に対する装着位置を変更することができる。したがって、簡単な調整を行うことにより、本係合具３０の係合体３５とスライド体２２が当接する状態を解消することができる。
【００３０】
［本係合具の作用及び効果］
本係合具３０によれば、取付体３１と別体に形成され、偏心円孔３５ｄが穿設されている係合体３５を備えている。そして、取付体３１は、偏心円孔３５ｄに挿設されており、係合体３５は、取付体３１に対する装着位置を変更可能となるように構成されている。そのため、種々の原因で、ドアパネルＤの戸先側の端部が下方に移動し、スライド錠１０のスライド体２２の位置が移動することにより係合体３５と当接した場合であっても、本係合具３０の係合体３５を偏心円孔３５ｄに沿って回転させて、取り付け位置を変更することができる。
【００３１】
上記方法により、係合体３５の円柱中心Ｔから上縁までの距離を変化させ、その位置を適切に修正することができることから、スライド体２２と係合体３５が当接することによって生じる施錠操作の障害や、不快かつ故障の不安を惹起させる異音の発生を、容易に解消させることが可能となる。
【００３２】
また、スライド錠１０は、スライド体２２と本係合具３０と係合させた状態で、ドアパネルＤに外力が作用する場合が存在する。本係合具３０によれば、係合体３５とドアパネルＤとの間に弾性体３９が介装されており、当該弾性体３９により本係合具３０が左パネルＬに圧接しているため、本係合具３０のガタツキを防止し、騒音の発生を抑制させることや、スライド錠１０の損傷を防止することが可能となる。
【００３３】
以上、本発明について、好適な実施形態についての一例を説明したが、本発明は当該実施形態に限られず、本発明の趣旨を逸脱しない範囲で適宜設計変更が可能である。
【００３４】
例えば、スライド錠は、その機能を果たすことができるものであれは、取り付けを行う扉体の種類を問うものではなく、また、案内具、スライド部材、係合具及び弾性体の形態についても制限はない。
【符号の説明】
【００３５】
Ｄ      ドアパネル（扉）
Ｌ      左パネル（支持体）
１０    スライド錠
２０    錠本体
２１    案内凸部（案内具）
２２    スライド体（スライド部材）
３０    係合具
３１    取付体（取付部）
３１ａ  ネジ部
３１ｂ  支圧円柱部
３５    係合体
３５ａ  取付部側円柱部
３５ｂ  円周溝
３５ｄ  偏心円孔
３９    弾性体
【図１】
2019002255.tif 000003
【図２】
2019002255.tif 000004
【図３】
2019002255.tif 000005
【図４】
2019002255.tif 000006
【図５】
2019002255.tif 000007
【図６】
2019002255.tif 000008
【図７】
2019002255.tif 000009
【図８】
2019002255.tif 000010
【図９】
2019002255.tif 000011